(57)【要約】【課題】  本発明は釣り用バケツに係り、撒き餌入れとしての使用時に直ぐに柄杓が使えるようにこれを確実に支持して、スムーズな作業を可能としたバケツを提供することを第１の目的とする。そして、本発明の第２の目的は、状況に応じ柄杓の柄を高低何れの位置に保持しておくことのできるバケツを提供することにある。【解決手段】  請求項１に係る釣り用バケツは、バケツ本体に、その内方へ突出し、柄杓の柄を挟持可能な挟持体を設けたことを特徴とする。そして、請求項２に係る発明は、請求項１に記載の釣り用バケツに於て、挟持体は、スリットを設けた板状部材を、当該スリットを横切って湾曲させてその両端部をバケツ本体に止着して構成され、上記スリットで柄杓の柄が挟持可能であることを特徴とする。【選択図】    図３
2005151878.tif 000002
【特許請求の範囲】
【請求項１】
バケツ本体に、その内方へ突出し、柄杓の柄を挟持可能な挟持体を設けたことを特徴とする釣り用バケツ。
【請求項２】
挟持体は、スリットを設けた板状部材を当該スリットを横切って湾曲させ、その両端部をバケツ本体に止着して構成され、上記スリットで柄杓の柄が挟持可能であることを特徴とする請求項１に記載の釣り用バケツ。
【請求項３】
板状部材の一端側に止着部材を取り付けると共に、バケツ本体の内側と外側に当該止着部材が止着可能な止着部材を取り付け、板状部材をバケツ本体の内側と外側へ反転し、その一端側の止着部材をバケツ本体側の止着部材に止着して挟持体が形成されることを特徴とする請求項２に記載の釣り用バケツ。
【発明の詳細な説明】
【技術分野】
【０００１】
本発明は、撒き餌入れや釣り具入れ等に使用される釣り用バケツに関する。
【背景技術】
【０００２】
従来、撒き餌入れや釣り具入れ等に使用される釣り用バケツ（以下、「バケツ」という）は、柔軟性，防水性を有する合成樹脂シートで形成されて上方が開口する箱状のバケツ本体と、同じく柔軟性，防水性を有する合成樹脂シートで形成されてバケツ本体の上部開口部を覆う蓋体と、バケツを運搬するためのハンドルやベルトとからなるものが広く知られており、通常、蓋体はその周縁部がバケツ本体の開口部に沿ってファスナ等で止着できるようになっている。
【０００３】
そして、この種のバケツは、撒き餌入れとして使用する場合、いつでも柄杓で撒き餌が掬えるように釣りをしている最中は足元に置いて使用することが多く、蓋体を半折りしてバケツを半開状態で使用したり、蓋体を全開してバケツを全開状態で使用できる構成が一般的である。
ところで、撒き餌の投入は釣りをし乍ら行うため、直ぐに柄杓の柄を握って撒き餌を撒くことができるようにしておくことが好ましく、従来、特許文献１に開示されるように蓋体を開いてバケツ本体の縁に柄杓を立て掛けたり、特許文献２に開示されるように別体の柄杓保持具をバケツ本体の縁に取り付けてこれに柄杓を立て掛けておく等の方法が採られている。
【０００４】
また、特許文献３には、図１２乃至図１４に示すようにバケツ本体１と、その上部の開口部を開閉可能に覆う蓋体３との間に、バケツ本体１の一側に固定される固定蓋５と、当該固定蓋５に屈折部７を介してバケツ本体１に対し自由に開閉する可動蓋９とからなる補助蓋１１を介装して、可動蓋９の横幅の略中央部に柄杓１３を嵌挿可能とする切欠き部１５を設けると共に、可動蓋９を剛性蓋体で形成し、柄杓１３の持ち上げ操作で屈折部７を境に可動蓋９を開動可能としたバケツ１７が開示されている。
【特許文献１】実用新案登録第３００４５５７号公報
【特許文献２】実開平７−３９４５１号公報
【特許文献３】特開平１０−２４８４６３号公報
【発明の開示】
【発明が解決しようとする課題】
【０００５】
しかし、特許文献１に開示されたバケツは、蓋体を開いてバケツ本体の縁に柄杓を立て掛けておくと、風で柄杓が移動したりバケツ本体内に柄杓が倒れてしまい、柄杓を取るために身体を大きく傾けたり屈まなくてはならず使い勝手が悪いのが実情であった。
また、特許文献２に開示された柄杓保持具をバケツ本体の縁に取り付けて使用すると、柄杓がしっかり保持されず柄の周方向に回ってしまうため、柄杓を抜き取る時に握持する柄杓の方向を確認しなければならず、更にまた、柄杓の抜き取りと同時に柄杓保持具がバケツ本体から外れて、海中に落としてしまう等の不具合があった。
【０００６】
そして、柄杓保持具をバケツ本体から取り外しておくと、釣場に柄杓保持具を持参するのを忘れてしまったり、紛失してしまうといった不具合も指摘されている。
一方、特許文献３に開示されたバケツは、可動蓋の開動を柄杓で迅速に行うことができる反面、可動蓋を開いた状態での柄杓の保持手段がないため、可動蓋を開け、バケツを足元に置いて必要に応じ柄杓で撒き餌を掬って投入する際に、特許文献１のバケツと同様、柄杓をバケツ本体の縁に立て掛けておかなければならず、この結果、風で柄杓が移動したりバケツ本体内に柄杓が倒れてしまう欠点がある。
【０００７】
また、柄杓を切欠き部で保持させるには、逐一可動蓋を閉じなければならない煩わしさがあり、このバケツも使い勝手がよくないのが実情であった。
本発明は斯かる実情に鑑み案出されたもので、撒き餌入れとしての使用時に直ぐに柄杓が使えるようにこれを確実に支持して、スムーズな作業を可能としたバケツを提供することを第１の目的とする。
【０００８】
そして、本発明の第２の目的は、状況に応じ柄杓の柄を高低何れの位置に保持しておくことのできるバケツを提供することにある。
【課題を解決するための手段】
【０００９】
斯かる目的を達成するため、請求項１に係る発明は、バケツ本体に、その内方へ突出し、柄杓の柄を挟持可能な挟持体を設けたことを特徴とする。
そして、請求項２に係る発明は、請求項１に記載のバケツに於て、挟持体は、スリットを設けた板状部材を、当該スリットを横切って湾曲させてその両端部をバケツ本体に止着して構成され、上記スリットで柄杓の柄が挟持可能であることを特徴とする
また、請求項３に係る発明は、請求項２に記載のバケツに於て、板状部材の一端側に止着部材を取り付けると共に、バケツ本体の内側と外側に当該止着部材が止着可能な止着部材を取り付け、板状部材をバケツ本体の内側と外側へ反転し、その一端側の止着部材をバケツ本体側の止着部材に止着して挟持体が形成されることを特徴としている。
【発明の効果】
【００１０】
請求項１に係る発明によれば、撒き餌入れとして使用する場合、直ぐに柄杓が使えるように柄を挟持体で挟持しておくことができ、風で柄杓が回ってしまったり、移動してバケツ本体内に柄杓が倒れてしまうことがない。
そして、請求項２に係る発明によれば、湾曲した挟持体のスリットの上下複数カ所で柄杓の柄を確実に挟持することができ、請求項３に係る発明によれば、板状部材をバケツ本体の内側または外側へ反転して、その一端側の止着部材をバケツ本体側の止着部材に止着することで形態の異なる挟持体が形成できるので、状況に応じ何れかの形態を選択することで、立って釣りをする場合でも座って姿勢を低くして釣りをする場合でも柄杓が掴み易い利点を有する。
【発明を実施するための最良の形態】
【００１１】
以下、本発明の実施形態を図面に基づいて詳細に説明する。
図１乃至図８は請求項１乃至請求項３に係るバケツの一実施形態を示し、図１に於て、２１はエチレン酢酸ビニル，塩化ビニル等の柔軟な合成樹脂シートの端部を溶着や接着等で接合して形成した防水性を有するバケツ本体で、図２に示すようにバケツ本体２１は底面及び側面を有する箱状に形成されて内部を収納部とし、上部に開口部２３が開口し、当該開口部２３の一側に、バケツ本体２１と同一材料で形成された１枚のシート状の蓋体２５が、同じく合成樹脂シートからなるヒンジ部材２７を介して連結されている。
【００１２】
そして、一対の運搬用のハンドル２９がバケツ本体２１の前側面３１と後側面３３の外周に取り付けられているが、バケツ本体２１の側面の上部、即ち、前後側面３１，３３と左右側面３５，３７を構成する合成樹脂シートの上部は、図４に示すように外側に折り返されて開口部２３の周縁部３９を形成しており、夫々の折返し片４１は、端部を除き各側面３１，３３，３５，３７の外側に、金属や合成樹脂で形成された平面視矩形状のフレーム４３を挟んでウエルダ加工により接合されている。
【００１３】
従って、開口部２３の周縁部３９は材料自体の特性により可撓性，柔軟性を有し、また、フレーム４３によってバケツ本体２１の自立性，強度アップと開口部２３の形状保持が図られている。
尚、バケツ本体２１の側面はフレーム４３にて折り返し、開口部２３の周縁部３９を強度アップさせてもよい。
【００１４】
そして、各折返し片４１の端部と、蓋体２５の周縁部との間にファスナ４５のテープ４７が縫着されており、図２の如くファスナ４５の操作部４９をヒンジ部材２７まで移動させると蓋体２５が全開し、また、図示しないが操作部４９をハンドル２９まで移動させて蓋体２５を半折りすると、半開状態でバケツ５１が使用できるようになっている。そして、図１に示すようにヒンジ部材２７は右側面３７の折返し片４１と蓋体２５との間に取り付けられており、斯かる構造によって、ハンドル２９が邪魔にならずに蓋体２５の開閉ができるようになっている。
【００１５】
而して、本実施形態に係るバケツ５１は、上述の如き構成に加え、図４及び図７に示すようにバケツ本体２１の左側面３５の内側に、バケツ本体２１の内方へ突出し、柄杓５３の柄５５を挟持可能な二態様の挟持体５７，５７-1を選択的に設けることができるようにしたもので、このように開口部２３に近い左側面３５の内側に挟持体５７，５７-1を設けると、柄杓５３の着脱操作がし易くなる。
【００１６】
挟持体５７，５７-1は共にバケツ本体２１の内方へ突出して設けることで、柄杓の先端側（掬部側）をバケツ本体２１の内側（収納部内）に差し込んで挟持できるようにしたもので、バケツ本体２１の内方は、バケツ本体２１を上方から見たときに開口部２３や収納部の内側に向いていることであって、挟持体５７，５７-1は開口部２３より上方に位置していてもよい。
【００１７】
図３に示すように一態様の挟持体５７は、中央にスリット５９を長手方向に設けた一枚の湾曲可能な柔軟性を有する合成樹脂製の板状部材６１からなり、スリット５９はその前後方向の中央部分が幅狭に形成され、後述するように板状部材６１を図４及び図７の如く湾曲させて挟持体５７，５７-1を形成した際に、この幅狭なスリット５９部分が挟持体５７，５７-1の先端側に開口するようになっている。
【００１８】
而して、図２乃至図４に示すように板状部材６１は、断面Ｌ字状に形成されたその一端側が、左側面３５の周縁部３９近傍の内側上部中央に溶着や接着等により柄杓の着脱で脱落しないように一体的に接合されて、バケツ本体２１の内方（図３中、矢印Ａ方向）と外方（図３中、矢印Ｂ方向）へ反転自在な構造となっている。
そして、スリット５９を挟んで板状部材６１の他端側表面に雄型ホック（止着部材）６３が装着されると共に、左側面３５の内側に雌型ホック（止着部材）６５が板状部材６１の接合部位の下方に装着されており、図３乃至図６に示すようにスリット５９を横切るように板状部材６１をバケツ本体２１の内方（図３中、矢印Ａ方向）へ湾曲させ乍ら、更にその他端側を内方へ折り曲げて雄型ホック６３を雌型ホック６５に止着させると、板状部材６１が側面視略Ｃ字状に湾曲してバケツ本体２１の内方へ突出する挟持体５７が左側面３５の内側に形成されるようになっている。そして、このとき、スリット５９の幅狭な部分が挟持体５７の先端側にバケツ本体２１の内方に向いて開口し、板状部材６１のスリット５９の両側部分が一対の挟持部となる。
【００１９】
また、図６に示すように板状部材６１は、その外周縁部とスリット５９の周縁部が厚肉とされてこれらの間が薄肉な断面形状となっており、斯かる形状によって板状部材６１が湾曲し易く、また、上述したように板状部材６１を側面視略Ｃ字状に湾曲させて挟持体５７とした場合に、厚肉に形成された部位が挟持体５７の自立性と強度アップを図ると共に、スリット５９に柄杓５３の柄５５を挟持させた際に、スリット５９の周縁部の厚肉部分が変形し難いため強固に柄５５を挟持できるようになっている。
【００２０】
一方、図２及び図３に示すように左側面３５の折返し片４１の上部中央にも雄型ホック６３が止着可能な雌型ホック（止着部材）６７が装着されており、図３，図７及び図８に示すようにスリット５９を横切るように板状部材６１をバケツ本体２１の外方（図３中、矢印Ｂ方向）へ湾曲させて、先端の雄型ホック６３を上記雌型ホック６７に止着させると、板状部材６１が側面視略Ｃ字状に湾曲してバケツ本体２１の内方と上方へ突出する挟持体５７-1が、左側面３５の周縁部３９を跨いで形成されるようになっている。
【００２１】
そして、このとき、スリット５９の幅狭な部分が、挟持体５７-1の先端側にバケツ本体２１の内方及び上方を向いて開口するようになっている。
本実施形態はこのように構成されているから、釣場への移動時にバケツ５１を釣り具入れとして使用する場合、図３の如く雄型ホック６３を雌型ホック６５，６７に止着せずに板状部材６１をフリーにしておいても、板状部材６１は柔軟性を有しているため、釣り具等の収納に当たり板状部材６１が邪魔になることがない。
【００２２】
また、このとき、板状部材６１を湾曲させて図４の挟持体５７或いは図７の挟持体５７-1を形成し、スリット５９に柄５５を通して図４の如く柄杓５３をバケツ本体２１の上下方向または図７の如く底面方向へ斜めにして蓋体２５を閉じ、ファスナ４５を柄５５の近傍まで閉めておけば、柄杓５３を差し込んだままバケツ５１が持ち運べる。
そして、釣場で撒き餌入れとして使用する際に、図２の如くファスナ４５の操作部４９をヒンジ部材２７まで移動させると蓋体２５が全開し、また、操作部４９をハンドル２９まで移動させて蓋体２５を半折りすると、半開状態でバケツ５１が使用できることとなる。
【００２３】
而して、この際に、図３乃至図６の如くスリット５９を横切るように板状部材６１を内方へ湾曲させ乍ら、更にその他端側を内方へ折り曲げて雄型ホック６３を雌型ホック６５に止着させれば、板状部材６１が側面視略Ｃ字状に湾曲してバケツ本体２１の内方へ突出する挟持体５７が左側面３５の内側に形成され、スリット５９の幅狭な部分が挟持体５７の先端側に開口する。
【００２４】
そして、挟持体５７の先端側に開口するスリット５９の幅狭な部分から、図４及び図５の如く柄杓５３の柄５５をスリット５９の開口からスリット５９を挟持体５７の弾性に抗して広げながら挿入させれば、柄杓５３がバケツ本体２１の左側面３５の内側に沿って起立した状態で、スリット５９の上下２カ所で柄杓５３の柄５５の長手方向に距離をおいて柄５５が挟持体５７によって強固に挟持され、このときに柄５５が回ったり、長手方向に移動することが防止され、挟持体５７から柄杓５３を取り外すとき、柄杓５３のグリップの位置や掬部の方向が変わらずに保持されているため、直ぐに柄杓５３が使用できる。
【００２５】
従って、立った状態で釣りをする場合に柄杓５３が取り易い。
そして、既述したように板状部材６１は、その外周縁部とスリット５９の周縁部が厚肉とされてこれらの間が薄肉な断面形状となっているため、板状部材６１を湾曲させることが容易であり、また、厚肉に形成した部位が挟持体５７の自立性と強度アップを図ると共に、スリット５９に柄杓５３の柄５５を挟持させた際に、スリット５９周縁部の厚肉部分が強固に柄５５を挟持する。
【００２６】
而も、スリット５９の幅狭な部分が挟持体５７の先端側に開口した構造上、柄５５を挟持するスリット５９の口元が狭まって柄杓５３の抜止め防止を図ることとなる。
そして、図６の如く柄杓５３の取付け時或いは柄杓５３の取外し時に柄杓５３は例えば左側面３５に沿って矢印Ｃ，Ｄ方向にぶれるが、雄型ホック６３と雌型ホック６５との係合によって挟持体５７の端部側（雄型ホック６３側）は雌型ホック６５を中心に回転でき、而も、挟持体５７は柔軟性を有していることも相俟って、挟持体５７は矢印Ｃ，Ｄ方向への柄杓５３のぶれに追従して矢印方向に変形したり移動するため、不用意に柄杓５３が脱落したり、ホック６３，６５が外れてしまうことが防止される。
【００２７】
一方、図７及び図８に示すようにスリット５９を横切るように板状部材６１をバケツ本体２１の外方へ湾曲させて、先端の雄型ホック６３をバケツ本体２１側の雌型ホック６７に止着させれば、板状部材６１が側面視略Ｃ字状に湾曲してバケツ本体２１の内方と上方へ突出する挟持体５７-1が、左側面３５の周縁部３９を跨いで形成されることとなる。
そして、挟持体５７-1の先端側に開口するスリット５９の幅狭な部分から柄杓５３の柄５５を挿入すれば、柄杓５３がバケツ本体２１の底面方向へ斜めになった状態で、スリット５９の上下２カ所で柄５５が強固に挟持され、椅子に座って姿勢を低くして釣りをする場合に柄杓５３が取り易い。
【００２８】
そして、この挟持体５７-1にあっても、既述したように板状部材６１は、その外周縁部とスリット５９の周縁部が厚肉とされてこれらの間が薄肉な断面形状となっているため、板状部材６１を湾曲させることが容易であり、厚肉に形成した部位が挟持体５７-1の自立性と強度アップを図ると共に、スリット５９に柄杓５３の柄５５を挟持させた際に、スリット５９周縁部の厚肉部分が強固に柄５５を挟持する。
【００２９】
而も、スリット５９の幅狭な部分が挟持体５７-1の先端側に開口した構造上、柄５５を挟持するスリット５９の口元が狭まって柄杓５３の抜止め防止を図ることとなる。
このように本実施形態によれば、バケツ５１を釣り具入れとして使用する場合、板状部材６１が邪魔になることがなく、また、撒き餌入れとして使用する場合、挟持体５７，５７-1のスリット５９の上下２カ所で柄５５を確実に挟持して直ぐに柄杓５３が使えるようにこれを保持しておくことができ、風で柄杓５３が移動したりバケツ本体２１内に柄杓５３が倒れてしまうことがない。
【００３０】
而も、状況に応じ板状部材６１を矢印Ａ，Ｂ方向に湾曲させて２つの挟持体５７，５７-1の形態を選択することで、立って釣りをする場合でも椅子に座って姿勢を低くして釣りをする場合でも、柄杓５３が掴み易い利点を有する。
そして、挟持体５７，５７-1のスリット５９に柄５５を通し、ファスナ４５を閉めて蓋体２５を閉じれば、柄杓５３を差し込んだままバケツ５１を持ち運ぶことができる利点を有する。
【００３１】
尚、既述した雄型ホック６３と雌型ホック６５，６７に代え、止着部材としてベルベット式ファスナを用いてもよい。
また、上記実施形態では、図３及び図４の如く板状部材６１を矢印Ａ方向へ湾曲させて、雄型ホック６３を雌型ホック６５に止着することで挟持体５７を形成できるようにしたが、板状部材の両端を予め左側面３５の内側に接合させておいてもよく、この場合、上記実施形態の如く二形態の挟持体を選択することはできないが、この実施形態にあっても、撒き餌入れとして使用する場合、直ぐに柄杓が掴めるように柄を挟持体で挟持しておくことができ、風で柄杓が移動したりバケツ本体内に柄杓が倒れてしまうことがない。
【００３２】
而も、既述した挟持体５７と同様、柄杓５３の柄５５を高い位置に保持しておくことができるため、立って釣りをする場合に屈んで柄杓５３を掴む煩わしさがない利点を有する。
図９乃至図１１は請求項１の一実施形態に係るバケツを示し、本実施形態に係るバケツ６９は、既述した二形態の挟持体５７，５７-1に代わる挟持体７１を、左側面３５の周縁部３９近傍の内側中央に取り付けたもので、図１０及び図１１に示すように挟持体７１は、ゴムや合成樹脂等の柔軟性を有する材料で形成された直方体形状のブロック部材７３からなり、その一側面が左側面３５の内側に熱溶着や接着で脱落しないように接合されている。
【００３３】
そして、バケツ本体２１の内方（右側面３７側）に突出するブロック部材７３の他端側中央に、スリット７５がブロック部材７３の上部から底部に亘って設けられている。そして、スリット７５の相対向する内壁７７，７９が一対の挟持部となり、この内壁７７，７９には、夫々、バケツ本体２１の底部と平行な複数本の突条８１，８３が上下方向に亘って位相をずらして等間隔に形成されており、図１１に示すようにスリット７５に柄杓５３を差し込むと、突条８１と突条８３はその材料の弾性で柄杓５３を押圧し、柄杓５３の柄５５を交互に柄５５の長手方向に間隔を空けて挟持して、柄杓５３をバケツ本体２１の左側面３５に沿って起立した状態に保持するようになっている。
【００３４】
また、上記スリット７５は比較奥行きがあり、図示しないがスリット７５で柄５５を挟持させ乍ら、柄杓５３をバケツ本体２１の底面方向へ斜めになった状態に保持しておくこともできるようになっている。
尚、その他の構成は図１の実施形態と同様であるので、同一のものには同一符号を付してそれらの説明は省略する。
【００３５】
本実施形態はこのように構成されているから、撒き餌入れとして使用する場合、例えば右側面３７側から挟持体７１のスリット７５に柄杓５３の柄５５を挿入すれば、図１１に示すように突条８１と突条８３が柄５５を交互に挟持して、柄杓５３をバケツ本体２１の左側面３５の内側に沿って起立した状態に保持することとなる。
また、既述したようにスリット７５で柄５５を挟持させることで、柄杓５３をバケツ本体２１の底面方向へ斜めになった状態に保持しておくことも可能である。
【００３６】
従って、本実施形態によっても、直ぐに柄杓５３が使えるように柄５５を挟持体７１で挟持しておくことができ、風で柄杓５３が回ってしまったり、移動してバケツ本体２１内に柄杓５３が倒れて、保持していたグリップの位置が変わってしまうことがない利点を有する。
而も、柄杓５３を高い位置と低い位置とに確実に保持しておくことができるため、立って釣りをする場合でも椅子に座って姿勢を低くして釣りをする場合でも、柄杓５３が掴み易い利点を有する。
【００３７】
尚、スリット７５の内壁７７，７９に複数本の突条８１，８３を設けたが、これらを設けずにスリット７５内で柄杓５３の柄５５をその長手方向に連続して挟持するようにしてもよい。
【図面の簡単な説明】
【００３８】
【図１】請求項１乃至請求項３の一実施形態に係るバケツの全体斜視図である。
【図２】蓋体を開いたバケツの全体斜視図である。
【図３】板状部材の操作方法の説明図である。
【図４】挟持体の一形態を備えたバケツの要部断面図である。
【図５】挟持体の一形態の斜視図である。
【図６】挟持体の一形態の切欠き正面図である。
【図７】挟持体の他の形態を備えたバケツの要部断面図である。
【図８】挟持体の他の形態の斜視図である。
【図９】請求項１の一実施形態に係るバケツの全体斜視図である。
【図１０】挟持体を備えたバケツの要部断面図である。
【図１１】挟持体の切欠き正面図である。
【図１２】補助蓋を閉じた従来のバケツの全体斜視図である。
【図１３】補助蓋の可動蓋を開けたバケツの全体斜視図である。
【図１４】図１１のバケツの使用状態を示す側面図である。
【符号の説明】
【００３９】
２１  バケツ本体
２３  開口部
２５  蓋体
２９  ハンドル
４１  折返し片
４３  フレーム
４５  ファスナ
５１  バケツ
５３  柄杓
５５  柄
５７，５７-1  挟持体
５９  スリット
６１  板状部材
６３  雄型ホック
６５，６７  雌型ホック
７１  板材
【図１】
2005151878.tif 000003
【図２】
2005151878.tif 000004
【図３】
2005151878.tif 000005
【図４】
2005151878.tif 000006
【図５】
2005151878.tif 000007
【図６】
2005151878.tif 000008
【図７】
2005151878.tif 000009
【図８】
2005151878.tif 000010
【図９】
2005151878.tif 000011
【図１０】
2005151878.tif 000012
【図１１】
2005151878.tif 000013
【図１２】
2005151878.tif 000014
【図１３】
2005151878.tif 000015
【図１４】
2005151878.tif 000016